(57)【要約】      （修正有）【課題】半導体ウェーハの面取り面と主面との境界部の形状を評価するための新たな方法を提供する。【解決手段】半導体ウェーハの評価方法は、評価対象の半導体ウェーハの一方の表面側に向かって光を照射して得られる反射光を受光することにより明視野像として反射像を取得すること、評価対象の半導体ウェーハの上記表面側に向かって光を照射して得られる散乱光を受光することにより暗視野像として散乱像を取得すること及び上記反射像において観察される明部帯域と上記散乱像において観察される明部帯域との間隔を求めることを含む。さらに、評価対象の半導体ウェーハは、ウェーハ外周縁部に面取り面が形成された半導体ウェーハであり、上記に基づき、評価対象の半導体ウェーハの上記光が照射された表面側の主面とこの主面と隣接する面取り面との境界部の形状を評価する。【選択図】図３
2019125729.tif 000002
【特許請求の範囲】
【請求項１】
評価対象の半導体ウェーハの一方の表面側に向かって光を照射して得られる反射光を受光することにより、明視野像として反射像を取得すること、
評価対象の半導体ウェーハの前記表面側に向かって光を照射して得られる散乱光を受光することにより、暗視野像として散乱像を取得すること、および、
前記反射像において観察される明部帯域と前記散乱像において観察される明部帯域との間隔Ｌを求めること、
を含み、
評価対象の半導体ウェーハは、ウェーハ外周縁部に面取り面が形成された半導体ウェーハであり、
前記Ｌに基づき、評価対象の半導体ウェーハの前記光が照射された表面側の主面と該主面と隣接する面取り面との境界部の形状を評価すること、
を含む半導体ウェーハの評価方法。
【請求項２】
前記散乱像を、前記境界部の鉛直方向上方よりも外側から、前記面取り面の前記境界部側の領域および前記境界部の前記面取り面側の領域を少なくとも含む部分に向かって光を照射して取得することを含む、請求項１に記載の半導体ウェーハの評価方法。
【請求項３】
前記反射像を、前記境界部の鉛直方向上方から、前記主面の前記境界部側の領域および前記境界部の前記主面側領域を少なくとも含む部分に向かって光を照射して取得することを含む、請求項１または２に記載の半導体ウェーハの評価方法。
【請求項４】
評価対象の半導体ウェーハを前記主面の法線方向を軸として回転させて前記散乱像および前記反射像を取得することを複数回行い、評価対象の半導体ウェーハの複数の異なる箇所において前記Ｌを求めることを含む、請求項１〜３のいずれか１項に記載の半導体ウェーハの評価方法。
【請求項５】
製品として出荷する候補の半導体ウェーハを製造すること、
前記候補の半導体ウェーハを請求項１〜４のいずれか１項に記載の評価方法によって評価すること、および、
評価の結果、良品と判定された半導体ウェーハを、製品半導体ウェーハとして出荷するための準備に付すこと、
を含む半導体ウェーハの製造方法。
【請求項６】
複数の半導体ウェーハを含む半導体ウェーハロットを製造すること、
前記半導体ウェーハロットから少なくとも１つの半導体ウェーハを抽出すること、
前記抽出された半導体ウェーハを請求項１〜４のいずれか１項に記載の評価方法によって評価すること、および、
前記評価の結果、良品と判定された半導体ウェーハと同じ半導体ウェーハロットの半導体ウェーハを製品半導体ウェーハとして出荷するための準備に付すこと、
を含む半導体ウェーハの製造方法。
【請求項７】
テスト製造条件下で評価用半導体ウェーハを製造すること、
前記製造された評価用半導体ウェーハを請求項１〜４のいずれか１項に記載の評価方法によって評価すること、
前記評価の結果に基づき、前記テスト製造条件に変更を加えた製造条件を実製造条件として決定するか、または前記テスト製造条件を実製造条件として決定すること、および、
前記決定された実製造条件下で半導体ウェーハを製造すること、
を含む半導体ウェーハの製造方法。
【請求項８】
前記変更が加えられる製造条件は、半導体ウェーハ表面の研磨処理条件および面取り加工条件の少なくとも一方である、請求項７に記載の半導体ウェーハの製造方法。
【発明の詳細な説明】
【技術分野】
【０００１】
本発明は、半導体ウェーハの評価方法および半導体ウェーハの製造方法に関する。
【背景技術】
【０００２】
近年、半導体ウェーハについて、ウェーハ外周縁部の形状を評価することが行われている（例えば特許文献１参照）。
【先行技術文献】
【特許文献】
【０００３】
【特許文献１】特開２０１６−１３０７３８号公報
【発明の概要】
【発明が解決しようとする課題】
【０００４】
半導体ウェーハは、一般に、インゴットから切り出したウェーハに各種加工を施して製造される。インゴットから切り出したウェーハの外周縁部は、そのままでは角部を有するため割れや欠けが生じやすい。そこで、半導体ウェーハのデバイス形成面側となる表面（おもて面）側およびおもて面とは反対側の表面（裏面）側の少なくとも一方の外周縁部に面取り加工を施して面取り面を形成すことが、通常行われる。この面取り面に関して、特許文献１には、面取り面が白色で表示されるように画像を取得し、この画像の幅寸法から面取り面の幅寸法を算出することが提案されている（特許文献１の段落００６０〜００６２参照）。以下において、半導体ウェーハの「表面」とは、特記しない限り、上記のおもて面および裏面のいずれか一方または両方を言うものする。
【０００５】
半導体ウェーハの表面において、おもて面側の主面は、その上にデバイスが形成される平面であり、その裏側の平面が裏面側の主面である。ウェーハ外周縁部に形成された面取り面は、隣接する主面に対して傾斜した面形状を有する。したがって、半導体ウェーハの厚み方向の断面形状を見ると、主面とこの主面と隣接する面取り面との境界部において、形状が大きく変化する。この主面と面取り面との境界部の形状は、半導体デバイスの製造工程における欠け、キズの発生のし易さ等を予測するための指標とすることができる。例えば、半導体デバイスの製造工程において、熱処理時にウェーハを支持するウェーハサポートの形状に合わせてウェーハ表面（例えば裏面）と面取り面との境界部の形状を適切に設定することによって、接触による境界部の欠けやキズが発生し難くなるため、欠けやキズを原因とする転位（スリップ）や発塵の発生率を低減することができる。しかし、特許文献１に記載の方法は、面取り面の幅寸法を求める方法であって、特許文献１に記載の方法では、面取り面と主面との境界部の形状を評価することはできない。
【０００６】
そこで本発明の目的は、半導体ウェーハの面取り面と主面との境界部の形状を評価するための新たな方法を提供することにある。
【課題を解決するための手段】
【０００７】
本発明の一態様は、
評価対象の半導体ウェーハの一方の表面側に向かって光を照射して得られる反射光を受光することにより、明視野像として反射像を取得すること、
評価対象の半導体ウェーハの上記表面側に向かって光を照射して得られる散乱光を受光することにより、暗視野像として散乱像を取得すること、および、
上記反射像において観察される明部帯域と上記散乱像において観察される明部帯域との間隔Ｌを求めること、
を含み、
評価対象の半導体ウェーハは、ウェーハ外周縁部に面取り面が形成された半導体ウェーハであり、
上記Ｌに基づき、評価対象の半導体ウェーハの上記光が照射された表面側の主面とこの主面と隣接する面取り面との境界部の形状を評価すること、
を含む半導体ウェーハの評価方法（以下、単に「評価方法」とも記載する。）、
に関する。
【０００８】
本発明者らは鋭意検討を重ねた結果、上記間隔Ｌについて、面取り面と主面との境界部の形状がよりなだらかであるほどＬの値はより大きく、面取り面と主面との境界部の形状がより急峻であるほどＬの値はより小さくなることを新たに見出した。したがって、かかるＬの値に基づけば、主面と面取り面との境界部の形状のなだらかさ／急峻さを評価することが可能となる。
【０００９】
一態様では、上記評価方法は、上記散乱像を、上記境界部の鉛直方向上方よりも外側から、上記面取り面の上記境界部側の領域および上記境界部の上記面取り面側の領域を少なくとも含む部分に向かって光を照射して取得することを含むことができる。
【００１０】
一態様では、上記評価方法は、上記反射像を、上記境界部の鉛直方向上方から、上記主面の上記境界部側の領域および上記境界部の上記主面側の領域を少なくとも含む部分に向かって光を照射して取得することを含むことができる。
【００１１】
一態様では、上記評価方法は、評価対象の半導体ウェーハを上記主面の法線方向を軸として回転させて上記散乱像および上記反射像を取得することを複数回行い、評価対象の半導体ウェーハの複数の異なる箇所において上記Ｌを求めることを含むことができる。
【００１２】
本発明の更なる態様は、
製品として出荷する候補の半導体ウェーハを製造すること、
上記候補の半導体ウェーハを上記評価方法によって評価すること、および、
評価の結果、良品と判定された半導体ウェーハを、製品半導体ウェーハとして出荷するための準備に付すこと、
を含む半導体ウェーハの製造方法、
に関する。
【００１３】
本発明の更なる態様は、
複数の半導体ウェーハを含む半導体ウェーハロットを製造すること、
上記半導体ウェーハロットから少なくとも１つの半導体ウェーハを抽出すること、
上記抽出された半導体ウェーハを上記評価方法によって評価すること、および、
上記評価の結果、良品と判定された半導体ウェーハと同じ半導体ウェーハロットの半導体ウェーハを製品半導体ウェーハとして出荷するための準備に付すこと、
を含む半導体ウェーハの製造方法、
に関する。
【００１４】
本発明の更なる態様は、
テスト製造条件下で評価用半導体ウェーハを製造すること、
上記製造された評価用半導体ウェーハを上記評価方法によって評価すること、
上記評価の結果に基づき、上記テスト製造条件に変更を加えた製造条件を実製造条件として決定するか、または上記テスト製造条件を実製造条件として決定すること、および、
上記決定された実製造条件下で半導体ウェーハを製造すること、
を含む半導体ウェーハの製造方法、
に関する。
【００１５】
一態様では、上記変更が加えられる製造条件は、半導体ウェーハ表面の研磨処理条件および面取り加工条件の少なくとも一方であることができる。
【発明の効果】
【００１６】
本発明の一態様によれば、半導体ウェーハの面取り面と主面との境界部の形状を評価するための新たな方法を提供することができる。
【図面の簡単な説明】
【００１７】
【図１】実施例において反射像を取得するために使用された光照射系および受光系の概略構成図を示す。
【図２】実施例において散乱像を取得するために使用された光照射系および受光系の概略構成図を示す。
【図３】ウェーハ外周縁部に面取り加工が施された同一半導体ウェーハの同一箇所について得られた反射像と散乱像とを並べた一例を示す。
【図４】実施例において得られたＬの値を、参照値に対してプロットしたグラフを示す。
【図５】実施例において二種類の半導体ウェーハのそれぞれの複数箇所で得られた評価結果を示す。
【図６】参照値を得るための評価方法による評価結果の一例を示す。
【図７】実施例で評価した半導体ウェーハについて、参照値を得るための評価方法によって得られた評価結果を示す。
【発明を実施するための形態】
【００１８】
［半導体ウェーハの評価方法］
本発明の一態様は、評価対象の半導体ウェーハの一方の表面側に向かって光を照射して得られる反射光を受光することにより、明視野像として反射像を取得すること、評価対象の半導体ウェーハの上記表面側に向かって光を照射して得られる散乱光を受光することにより、暗視野像として散乱像を取得すること、および、上記反射像において観察される明部帯域と上記散乱像において観察される明部帯域との間隔Ｌを求めること、を含み、評価対象の半導体ウェーハは、ウェーハ外周縁部に面取り面が形成された半導体ウェーハであり、上記Ｌに基づき、評価対象の半導体ウェーハの上記光が照射された表面側の主面とこの主面と隣接する面取り面との境界部の形状を評価することを含む半導体ウェーハの評価方法に関する。
以下、上記評価方法について、更に詳細に説明する。
【００１９】
＜評価対象の半導体ウェーハ＞
上記評価方法の評価対象の半導体ウェーハは、ウェーハの外周縁部に面取り加工が施されて面取り面が形成された半導体ウェーハであればよい。評価対象の半導体ウェーハは、一般に半導体基板として使用される各種半導体ウェーハであることができる。例えば、半導体ウェーハの具体例としては、各種シリコンウェーハを挙げることができる。シリコンウェーハは、例えば、シリコン単結晶インゴットから切り出された後に面取り加工等の各種加工を経たシリコン単結晶ウェーハであることができる。かかるシリコン単結晶ウェーハの具体例としては、例えば、研磨が施されて表面に研磨面を有するポリッシュドウェーハを挙げることができる。また、シリコンウェーハは、シリコン単結晶ウェーハ上にエピタキシャル層を有するエピタキシャルウェーハ、シリコン単結晶ウェーハにアニール処理により改質層を形成したアニールウェーハ等の各種シリコンウェーハであることもできる。
【００２０】
＜反射像および散乱像の取得＞
反射像の取得のための光照射、および散乱像取得のための光照射は、評価対象の半導体ウェーハの形状を評価すべき境界部を含む表面側に向かって行われる。かかる光照射により取得される反射像（明視野像）において観察される明部帯域は、境界部を介して面取り面と隣接する主面の境界部側の領域に対応し、散乱像（暗視野像）において観察される明部帯域は、境界部を介して主面と隣接する面取り面の境界部側の領域に対応していると、本発明者らは考えている。更に本発明者らは、両明部帯域の間の領域は境界部に対応し、両明部帯域の間隔Ｌは、評価対象の半導体ウェーハは、形状を評価すべき境界部を含む表面側から見た際に観察される境界部の幅に対応していると考えている。そして、この幅は、境界部の形状がよりなだらかであるほどより広くなり、より急峻であるほどより狭くなることが、本発明者らの鋭意検討の結果、新たに見出された。したがって、両明部帯域の間隔Ｌを、境界部の形状評価の指標とすることができる。詳しくは、Ｌの値がより大きいほど境界部の形状はよりなだらかであり、Ｌの値がより小さいほど境界部の形状はより急峻であると判定することができる。
以下に、反射像の取得および散乱像の取得について、それぞれ更に詳細に説明する。
【００２１】
（反射像の取得）
上記評価方法は、評価対象の半導体ウェーハの形状を評価すべき境界部を含む表面側に向かって光を照射して得られる反射光を受光することにより、明視野像として反射像を取得することを含む。反射像取得のために照射される光の波長は、評価の容易性の観点から、入手容易な光源および受光部で対応可能な可視光領域（３６０〜８３０ｎｍの範囲）の波長であることが好ましい。反射像取得のための光照射系としては、公知の構成のものを用いることができる。例えば、反射像取得のための光照射に用いる光源としては、ＬＥＤ（ｌｉｇｈｔ  ｅｍｉｔｔｉｎｇ  ｄｉｏｄｅ）等の公知の光源を挙げることができる。本発明および本明細書において、形状を評価すべき境界部の鉛直方向（この方向は、「主面の法線方向」と一致する。）の上方を基準として、ウェーハ外周縁部側を外側、ウェーハ主面側を内側と呼ぶ。上記鉛直方向の上方を基準の０°方向として、０°方向と直交しかつ形状を評価すべき境界部を通るウェーハ半径方向を９０°方向とすると、反射光を取得するための光照射は、より高強度の反射光を取得する観点からは、上記鉛直方向の上方（０°方向）から行うことが好ましい。なお本発明および本明細書において、角度や方向に関する記載については、１°〜３°程度の誤差は許容されるものとする。
また、評価対象の半導体ウェーハの表面上で反射像取得のために光照射される部分は、主面の境界部側の領域および境界部の主面側の領域を少なくとも含むことが好ましい。反射像取得のための受光系としては、公知の構成のものを用いることができる。受光系は、例えば、半導体ウェーハ表面からの反射光を受光部に導くためのミラーを含むことができる。また、受光部としては、例えばラインスキャンカメラを用いることができる。こうして取得される反射像（明視野像）において観察される明部帯域は、境界部を介して面取り面と隣接する主面の境界部側の領域に対応していると本発明者らは考えている。反射像は、原理上二値化像と同様の像として取得されるため、反射像において明部と暗部との境界は明瞭であり容易に特定可能である。
【００２２】
（散乱像の取得）
上記評価方法は、評価対象の半導体ウェーハの形状を評価すべき境界部を含む表面側に向かって光を照射して得られる散乱光を受光することにより、暗視野像として散乱像を取得することを含む。散乱像取得のために照射される光の波長は、評価の容易性の観点から、入手容易な光源および受光部で対応可能な可視光領域（３６０〜８３０ｎｍの範囲）の波長であることが好ましい。散乱像取得のための光照射系としては、公知の構成のものを用いることができる。例えば、散乱像取得のための光照射に用いる光源としては、ＬＥＤ等の公知の光源を挙げることができる。散乱像を取得するための光照射は、形状を評価すべき境界部の鉛直方向の上方よりも外側から行うことが好ましい。上記鉛直方向の上方を基準の０°方向として、０°方向と直交しかつ形状を評価すべき境界部を通るウェーハ半径方向を９０°方向とすると、散乱光を取得するための光照射は、より高強度の散乱光を取得する観点からは、少なくとも、上記鉛直方向の上方（０°）に対して外側の１０°の方向〜外側の５０°の方向の範囲の方向から行うことが好ましく、外側の２０°の方向〜外側の４０°の方向の範囲の方向から行うことがより好ましく、外側の２０°の方向から行うことが更に好ましい。
また、評価対象の半導体ウェーハの表面上で散乱像取得のために光照射される部分は、面取り面の境界部側の領域および境界部の面取り側の領域を少なくとも含むことが好ましい。散乱像取得のための受光系としては、公知の構成のものを用いることができる。受光系は、例えば、半導体ウェーハ表面からの散乱光を受光部に導くためのミラーを含むことができる。また、受光部としては、例えばラインスキャンカメラを用いることができる。こうして取得される散乱像（暗視野像）において観察される明部帯域は、境界部を介して主面と隣接する面取り面の境界部側の領域に対応していると本発明者らは考えている。散乱像については、明度（Ｂｒｉｇｈｔｎｅｓｓ）に閾値を設定し、散乱像において明度が閾値以上の部分を明部、閾値を下回る部分を暗部と区分して明部帯域を特定することができる。明度の閾値は、例えば０とすることができる。
【００２３】
以上説明した反射像の取得および散乱像の取得の順序は問わず、どちらを先に実施してもよい。
【００２４】
（境界部の形状評価）
上記のように反射像（明視野像）における明部帯域および散乱像（暗視野像）における明部帯域を特定した後、両明部帯域の間隔Ｌを求める。間隔Ｌは、反射像において特定された明部帯域の外周縁部側の端部（明部と暗部との境界）と、散乱像において特定された明部帯域の主面側の端部（明部と暗部との境界）との最短距離として求めることができる。間隔Ｌを求める手法は特に限定されない。例えば、公知の画像処理により、反射像と散乱像を重ね合わせたり反射像と散乱像を並べて配置して、両明部帯域の間隔Ｌを求めることができる。
【００２５】
境界部の形状評価は、上記Ｌに基づき行うことができる。詳しくは、Ｌの値がより小さいほど境界部の形状はより急峻であると判断することができ、Ｌの値がより大きいほど境界部の形状はよりなだらかであると判断することができる。このようにＬの値を用いて境界部の形状を評価できることは、数値に基づき客観的に評価を行うことができるため評価の信頼性の観点から好ましい。
【００２６】
以上の通り、上記評価方法によれば、半導体ウェーハのウェーハ表面（おもて面または裏面）において、主面とこの主面と隣接する面取り面との境界部の形状を評価することができる。
また、上記評価方法は、評価対象の半導体ウェーハからの試料片の切り出し（例えばへき開）を要することなく、実施することができる。即ち、上記評価方法によれば、非破壊での評価が可能である。このことは、簡便な評価を可能にする観点から好ましい。また、このことは、同一の半導体ウェーハの複数の異なる箇所における境界部の形状評価の容易性の観点からも好ましい。例えば一態様によれば、上記評価方法は、評価対象の半導体ウェーハを主面の法線方向を軸として回転させて反射像および散乱像を取得することを複数回行い、評価対象の半導体ウェーハの複数の異なる箇所において上記Ｌを求めることを含むことができる。こうして求められた複数のＬにそれぞれ基づき、各箇所における境界部の形状を評価することができる。また、同一半導体ウェーハの異なる箇所における評価により求められた複数のＬの値の代表値（例えば平均値（例えば算術平均）、最小値、最大値等）を、半導体ウェーハの境界部の形状評価の指標とすることもできる。
【００２７】
＜半導体ウェーハの製造方法＞
本発明の一態様にかかる半導体ウェーハの製造方法（第一の製造方法）は、
製品として出荷する候補の半導体ウェーハを製造すること、
上記候補の半導体ウェーハを上記評価方法によって評価すること、および、
評価の結果、良品と判定された半導体ウェーハを、製品半導体ウェーハとして出荷するための準備に付すこと、
を含む半導体ウェーハの製造方法、
である。
【００２８】
本発明の他の一態様にかかる半導体ウェーハの製造方法（第二の製造方法）は、
複数の半導体ウェーハを含む半導体ウェーハロットを製造すること、
上記半導体ウェーハロットから少なくとも１つの半導体ウェーハを抽出すること、
上記抽出された半導体ウェーハを上記評価方法によって評価すること、および、
上記評価の結果、良品と判定された半導体ウェーハと同じ半導体ウェーハロットの半導体ウェーハを製品半導体ウェーハとして出荷するための準備に付すこと、
を含む半導体ウェーハの製造方法、
である。
【００２９】
本発明の他の一態様にかかる半導体ウェーハの製造方法（第三の製造方法）は、
テスト製造条件下で評価用半導体ウェーハを製造すること、
上記製造された評価用半導体ウェーハを上記評価方法によって評価すること、
上記評価の結果に基づき、上記テスト製造条件に変更を加えた製造条件を実製造条件として決定するか、または上記テスト製造条件を実製造条件として決定すること、および、
上記決定された実製造条件下で半導体ウェーハを製造すること、
を含む半導体ウェーハの製造方法、
である。
【００３０】
第一の製造方法は、いわゆる出荷前検査として上記評価方法による評価を実施する。また、第二の製造方法では、いわゆる抜き取り検査を行った結果、良品と判定された半導体ウェーハと同じロットの半導体ウェーハを製品半導体ウェーハとして出荷するための準備に付す。第三の製造方法では、テスト製造条件下で製造された半導体ウェーハを評価し、この評価結果に基づき実製造条件を決定する。第一の製造方法、第二の製造方法および第三の製造方法のいずれにおいても、半導体ウェーハの評価は、先に説明した本発明の一態様にかかる評価方法によって行われる。
【００３１】
（第一の製造方法）
第一の製造方法において、製品として出荷する候補の半導体ウェーハロットの製造は、一般的な半導体ウェーハの製造方法と同様に行うことができる。例えば、シリコンウェーハの一態様であるポリッシュドウェーハは、チョクラルスキー法（ＣＺ法）等により育成されたシリコン単結晶インゴットからのシリコンウェーハの切断（スライシング）、面取り加工、粗研磨（例えばラッピング）、エッチング、鏡面研磨（仕上げ研磨）、上記加工工程間または加工工程後に行われる洗浄を含む製造工程により製造することができる。また、アニールウェーハは、上記のように製造されたポリッシュドウェーハにアニール処理を施して製造することができる。エピタキシャルウェーハは、上記のように製造されたポリッシュドウェーハの表面にエピタキシャル層を気相成長（エピタキシャル成長）させることにより製造することができる。
【００３２】
製造された半導体ウェーハは、本発明の一態様にかかる評価方法によって、主面とこの主面と隣接する面取り面との境界部の形状が評価される。評価方法の詳細は、先に記載した通りである。そして評価の結果、良品と判定された半導体ウェーハは、製品半導体ウェーハとして出荷するための準備に付される。良品と判定するための基準は、製品半導体ウェーハに求められる品質に応じて決定すればよい。例えば一態様では、求められたＬの値がある値以上（即ち閾値以上）であることを、良品と判定するための基準とすることができる。また、良品判定のために用いるＬの値としては、同一半導体ウェーハの異なる箇所における評価により求められた複数のＬの値の代表値（例えば平均値（例えば算術平均）、最小値、最大値等）を用いることもできる。この点は、第二の製造方法および第三の製造方法についても同様である。製品半導体ウェーハとして出荷するための準備としては、例えば梱包等を挙げることができる。こうして第一の製造方法によれば、主面と面取り面との境界部の形状が製品半導体ウェーハに望まれる形状である半導体ウェーハを、安定的に市場に供給することが可能となる。
【００３３】
（第二の製造方法）
第二の製造方法における半導体ウェーハロットの製造も、例えば先に第一の製造方法について記載したように、一般的な半導体ウェーハの製造方法と同様に行うことができる。半導体ウェーハロットに含まれる半導体ウェーハの総数は特に限定されるものではない。製造された半導体ウェーハロットから抜き出し、いわゆる抜き取り検査に付す半導体ウェーハの数は少なくとも１つであり、２つ以上であってもよく、その数は特に限定されるものではない。
【００３４】
半導体ウェーハロットから抽出された半導体ウェーハは、本発明の一態様にかかる評価方法によって、主面とこの主面と隣接する面取り面との境界部の形状が評価される。評価方法の詳細は、先に記載した通りである。そして評価の結果、良品と判定された半導体ウェーハと同じ半導体ウェーハロットの半導体ウェーハを、製品半導体ウェーハとして出荷するための準備に付す。良品と判定するための基準は、製品半導体ウェーハに求められる品質に応じて決定すればよい。例えば一態様では、求められたＬの値がある値以上（即ち閾値以上）であることを、良品と判定するための基準とすることができる。製品半導体ウェーハとして出荷するための準備については、例えば先に第一の製造方法について記載した通りである。第二の製造方法によれば、主面と面取り面との境界部の形状が製品半導体ウェーハに望まれる形状である半導体ウェーハを、安定的に市場に供給することが可能となる。また、本発明の一態様にかかる評価方法は非破壊での評価が可能であるため、第二の製造方法の一態様では、半導体ウェーハロットから抽出されて評価に付された半導体ウェーハも、評価の結果、良品と判定されたものであれば、製品半導体ウェーハとして出荷するための準備に付し、準備の後に製品半導体ウェーハとして出荷することができる。
【００３５】
（第三の製造方法）
第三の製造方法について、テスト製造条件および実製造条件としては、半導体ウェーハの製造のための各種工程における各種条件を挙げることができる。半導体ウェーハの製造のための各種工程については、先に第一の製造方法について記載した通りである。なお、「実製造条件」とは、製品半導体ウェーハの製造条件を意味するものとする。
【００３６】
第三の製造方法では、実製造条件を決定するための前段階として、テスト製造条件を設定し、このテスト製造条件下で評価用半導体ウェーハを製造する。製造された半導体ウェーハは、本発明の一態様にかかる評価方法によって、主面とこの主面と隣接する面取り面との境界部の形状が評価される。評価方法の詳細は、先に記載した通りである。評価用半導体ウェーハは、少なくとも１つであり、２つ以上であってもよく、その数は特に限定されるものではない。評価の結果、評価用半導体ウェーハの境界部の形状が、製品半導体ウェーハに望まれる形状であれば、このテスト製造条件を実製造条件として製品半導体ウェーハを製造して出荷することにより、境界部の形状が所望の形状である製品半導体ウェーハを、安定的に市場に供給することができる。他方、評価の結果、評価用半導体ウェーハの境界部の形状が、製品半導体ウェーハに望まれる形状とは異なる場合には、テスト製造条件に変更を加えた製造条件を実製造条件として決定する。変更を加える製造条件は、境界部の形状に影響を及ぼすと考えられる製造条件であることが好ましい。そのような製造条件の一例としては、半導体ウェーハの表面（おもて面および／または裏面）の研磨条件を挙げることができる。かかる研磨条件の具体例としては、粗研磨条件および鏡面研磨条件を挙げることができ、より詳しくは、研磨液の種類、研磨液の砥粒濃度、研磨パットの種類（例えば硬さ等）等を挙げることができる。また、製造条件の一例としては、面取り加工条件を挙げることもでき、詳しくは、面取り加工における研削、研磨等の機械加工条件を挙げることができ、より詳しくは、面取り加工に用いる研磨テープの種類等を挙げることができる。こうしてテスト製造条件に変更を加えた製造条件を実製造条件として決定し、この実製造条件下で製品半導体ウェーハを製造し出荷することにより、境界部の形状が所望の形状である製品半導体ウェーハを、安定的に市場に供給することができる。なおテスト製造条件に変更を加えた製造条件下で改めて評価用半導体ウェーハを製造し、この評価用半導体ウェーハを本発明の一態様にかかる評価方法により評価して、この製造条件を実製造条件とするか更に変更を加えるかを判定することを、１回または２回以上繰り返してもよい。
以上の第三の製造方法において、評価用半導体ウェーハの境界部の形状が製品半導体ウェーハに望まれる形状であるか否かの判定方法については、先に第一の製造方法および第二の製造方法の良品の判定に関する記載を参照できる。
【００３７】
第一の製造方法、第二の製造方法および第三の製造方法のその他の詳細については、半導体ウェーハの製造方法に関する公知技術を適用することができる。
【実施例】
【００３８】
以下に、本発明を実施例に基づき更に説明する。ただし、本発明は実施例に示す態様に限定されるものではない。
【００３９】
１．装置の説明
以下において、反射像（明視野像）の取得および散乱像（暗視野像）の取得は、評価対象の半導体ウェーハのおもて面側について、ルドルフテクノロジーズ社製自動外観機（ＡＷＸ ＥＢＩ３００Ｎ）を用いて行った。この自動外観機は、半導体ウェーハを、ウェーハ端面部をチャッキングして保持して主面法線方向を軸として回転させることが可能な装置である。反射像を取得するための光照射系および受光系の概略構成図を図１に示し、散乱像を取得するための光照射系および受光系の概略構成図を図２に示す。図１、図２中、矢印は光の進行方向を模式的に示している。
図１に示すように、反射像を取得するための光照射系は、光源１１およびミラー１２を含む。光源１１から出射された光の進行方向をミラー１２により変化させることにより、形状を評価すべき境界部の鉛直方向上方（０°方向）から光照射が行われる。こうして光が照射された半導体ウェーハからの反射光の光の進行方向をミラー１３により変化させることによって、反射光が受光部１４に導かれる。光源１１は、可視光領域に発光波長を有する同軸（ｃｏａｘｉａｌ）ＬＥＤである。一方、散乱像を取得するための光照射系は、光源２１を含む。光源２１は、同一円周上に等間隔に配置された１６個の可視光領域に発光波長を有するＬＥＤを含み、１６個のＬＥＤからそれぞれ発光される光が同一箇所を照射するように構成されている。この光源２１により、少なくとも、形状を評価すべき境界部の鉛直方向の上方よりも外側から（詳しくは、少なくとも外側の２０°の方向および外側の４０°の方向から）光照射が行われる。こうして光が照射された半導体ウェーハからの散乱光の進行方向をミラー２３により変化させることによって、散乱光が受光部２４に導かれる。受光部は、例えばラインスキャンカメラであることができる。以下では、上記自動外観機に備えられたラインスキャンカメラを、受光部１４、２４として使用した。
【００４０】
２．評価方法の説明
ウェーハ外周縁部に面取り加工が施された同一半導体ウェーハの同一箇所について、上記装置により得られた反射像と散乱像とを並べた一例を、図３に示す。図３中、画像（ａ）は反射像であり、画像（ｂ）は散乱像である。散乱像の明部帯域は、明度（Ｂｒｉｇｈｔｎｅｓｓ）の閾値を０（ゼロ）とし、明度０以上の領域として特定した。図３中、反射像（明視野像）の明部分領域と散乱像（暗視野像）の明部領域との間隔（図３（ｂ）上の破線と一点破線との間の最短距離）が、Ｌである。
【００４１】
３．参照値取得のための評価方法の説明
本発明の一態様にかかる評価方法において得られるＬが境界部の形状の指標となり得る値であることは、例えば、以下の評価方法により取得される参照値と、本発明の一態様にかかる評価方法により得られるＬとが、良好な相関性を示すことにより確認することができる。
まず半導体ウェーハについて、評価すべき境界部を含む断面像を得る。断面像は、例えば、半導体ウェーハをへき開面でへき開して露出させた断面を顕微鏡で撮像することにより取得することができる。
取得された断面像を、ウェーハ厚み方向のみに拡大した拡大像を作成する。ウェーハ厚み方向のみに拡大することにより、断面形状の輪郭において、境界部の形状を主面（いわゆる水平面）に対して強調することができるため、拡大像を用いることにより、拡大していない断面像を用いるよりも境界部のなだらかさ／急峻さを精度よく評価することができる。更に拡大像を二値化処理することにより、断面形状の輪郭をより鮮明に表示させることができるため、境界部のなだらかさ／急峻さを一層精度よく評価することができる。
こうして得られた二値化処理済像において、ウェーハ断面形状の輪郭では、通常、主面と面取り面との境界部の形状は曲線形状となる。そこで、この輪郭上で、主面と面取り面との境界部の曲線の形状に、この曲線の形状に近似するか一致する円弧形状を有する円をフィッティングさせる。こうして得られた円（曲率円）のサイズ、例えば直径または半径がより大きいほど、境界部の形状はよりなだらかであると判断することができ、上記円のサイズがより小さいほど境界部の形状はより急峻であると判断することができる。例示として、図６に、異なる二種類の半導体ウェーハについて、上記方法により得られた二値化処理済像（ウェーハ厚み方向のみに１０倍拡大した後に二値化処理して得られた像）を示す。図６には境界部の曲線の形状とほぼ一致する円弧を有する円も示されている。円の中に示されている数値は、円の直径である。図６中、サンプル１とサンプル２の断面形状を対比すると、サンプル２の境界部の形状はサンプル１の境界部の形状と比べてなだらかである。円のサイズについてサンプル１とサンプル２とを対比すると、サンプル２について得られた円の直径はサンプル１について得られた円の直径より大きい。以上の通り、円のサイズと境界部の形状とは相関している。
【００４２】
４．半導体ウェーハの評価
（１）間隔Ｌの測定
ウェーハ表面の研磨条件および面取り加工条件が異なる四種類の半導体ウェーハ（直径３００ｍｍの表面が（１００）面のシリコン単結晶ウェーハ（ポリッシュドウェーハ））を準備した。以下、上記の四種類の半導体ウェーハを、それぞれ「ウェーハ１」、「ウェーハ２」、「ウェーハ３」、「ウェーハ４」と呼ぶ。これら半導体ウェーハのノッチ部を０°として左回りで４５°の箇所において、上記１に記載の装置を用いて反射像および散乱像を取得し、得られた反射像および散乱像を上記２で説明したように並べて反射像の明部帯域と散乱像の明部帯域との間隔Ｌを求めた。
【００４３】
（２）参照値の取得
上記（１）で評価した四種類の半導体ウェーハを、それぞれ（１１０）面でへき開して断面観察用試料を作製した。
作製した断面観察用試料を、微分干渉顕微鏡を用いて、明るさやコントラストを調整して、上記３．で評価した境界部を含む断面像（撮像倍率：５００倍）を取得した。
取得した断面像を画像処理ソフト（Ａｄｏｂｅ社製ソフト名Ｐｈｏｔｏｓｈｏｐ  ＣＳ５）に取り込み、ウェーハ厚み方向のみに１０倍に拡大した後、二値化処理を行った。
上記二値化処理を行って得られた二値化処理済像をソフト（マイクロソフト社製パワーポイント）に取り込み、同ソフトの図形描画ツールを用いて、断面形状の輪郭上、境界部の曲線の形状と円弧の形状がほぼ一致する円を描画した。曲線の形状と円弧の形状がほぼ一致することは、目視で判断した。各半導体ウェーハについて、こうして描画された円の直径を参照値とする。図７に、上記方法により得られた二値化処理済像（ウェーハ厚み方向のみに１０倍拡大した後に二値化処理して得られた像）を示す。図７には境界部の曲線の形状とほぼ一致する円弧を有する円も示されている。
【００４４】
（３）評価結果
各半導体ウェーハについて、上記（１）で求められたＬおよび上記（２）で求められた参照値（円のサイズ（直径））を、表１に示す。また、各半導体ウェーハについて、上記（１）で得られたＬの値を、上記（２）で得られた参照値（円の直径）に対してプロットしたグラフを図４に示す。
【００４５】
【表１】
2019125729.tif 000003
【００４６】
図４中、４つのプロットについて最小二乗法により求められた近似直線も示す。近似曲線は、相関係数の二乗Ｒ2＝０．９８でありきわめて良好な相関性を示している。この結果から、上記（１）で得られたＬの値が境界部の形状評価のための指標となり得ることが示された。
こうして得られるＬの値は、先に記載したように出荷前検査に用いることができ、ロットからの抜き取り検査に用いることができ、半導体ウェーハの実製造条件の決定のために用いることもできる。
【００４７】
５．同一半導体ウェーハの複数箇所における評価
ウェーハ外周縁部に面取り加工が施された半導体ウェーハ（直径３００ｍｍの表面が（１００）面のシリコン単結晶ウェーハ（ポリッシュドウェーハ））を二種類準備した。以下、上記の二種類の半導体ウェーハを、それぞれ「ウェーハＡ」、「ウェーハＢ」と呼ぶ。これら半導体ウェーハのノッチ部を０°として、左回りに異なる角度の箇所において、上記１に記載の装置を用いて反射像および散乱像を取得した。各箇所において得られた散乱像上に、同一箇所において得られた反射像で特定された明部領域の境界に相当する破線を追加した画像を図５に示す。散乱像において明度（Ｂｒｉｇｈｔｎｅｓｓ）の閾値を設定し、ウェーハＡ、ウェーハＢの各箇所において取得された散乱像上で、それぞれ明度が閾値以上（例えば明度０）の領域を明部帯域として特定する。各箇所において取得された散乱像上で特定された明部帯域の端部と破線（即ち反射像で特定された明部帯域の端部）との最短距離として間隔Ｌを求める。こうして各箇所について求められるＬを指標とすることにより、各箇所における境界部の形状を評価することができる。ウェーハＢの各箇所における間隔Ｌの値は、ウェーハＢの各箇所における間隔Ｌの値より大きかった。この結果から、ウェーハＢの各箇所における境界部の形状は、ウェーハＡと比べてなだらかであると判定できる。
上記の反射像および散乱像の取得は、上記１に記載の装置において、ウェーハ端面部をチャッキングして保持して主面法線方向を軸として回転させることにより、反射像および散乱像を取得すべき箇所に光が照射されるように調整した後に行った。
【産業上の利用可能性】
【００４８】
本発明は、シリコンウェーハ等の各種半導体ウェーハの製造分野において有用である。
【図１】
2019125729.tif 000004
【図２】
2019125729.tif 000005
【図３】
2019125729.tif 000006
【図４】
2019125729.tif 000007
【図５】
2019125729.tif 000008
【図６】
2019125729.tif 000009
【図７】
2019125729.tif 000010